(57)【特許請求の範囲】
【請求項１】
表示装置と、携帯端末装置とを含む通信システムであって、
上記表示装置は、
サーバに対して基地局を経ずに通信可能な通信部
を具え、
上記携帯端末装置は、
上記サーバへの蓄積対象となるデータを取得する取得部と、
上記基地局と無線通信可能な無線通信部を用いて上記サーバにアクセスし、該サーバに対して、上記取得部が取得したデータを蓄積させる蓄積制御部と、
通信相手と直に無線通信可能な無線通信部を用いて上記表示装置にコマンドを送信し、該表示装置に対して、上記蓄積制御部が上記サーバに蓄積させたデータを表示させる表示制御部と
を具えることを特徴とするデータ通信システム。
【請求項２】
上記取得データ送信部は、
上記取得部が取得したデータを、該データの識別情報を付加して蓄積させ、
上記表示制御部は、
上記蓄積制御部が上記サーバに蓄積させたデータに付加された識別情報のリストを上記表示装置に表示させ、該リストのうち選択された識別情報に対応するデータを上記表示装置に表示させる
ことを特徴とする請求項１に記載のデータ通信システム。
【請求項３】
サーバへの蓄積対象となるデータを取得する取得部と、
基地局と無線通信可能な無線通信部を用いて上記サーバにアクセスし、該サーバに対して、上記取得部が取得したデータを蓄積させる蓄積制御部と、
通信相手と直に無線通信可能な無線通信部を用いて、上記サーバに対して上記基地局を経ずに通信可能な表示装置にコマンドを送信し、該表示装置に対して、上記蓄積制御部が上記サーバに蓄積させたデータを表示させる表示制御部と
を具えることを特徴とする携帯端末装置。
【請求項４】
上記取得データ送信部は、
上記取得部が取得したデータを、該データの識別情報を付加して蓄積させ、
上記表示制御部は、
上記蓄積制御部が上記サーバに蓄積させたデータに付加された識別情報のリストを上記表示装置に表示させ、該リストのうち選択された識別情報に対応するデータを上記表示装置に表示させる
ことを特徴とする請求項３に記載の携帯端末装置。
【発明の詳細な説明】
【０００２】
【発明の属する技術分野】
本発明は情報管理携帯端末装置、ネットワークシステム及び方法に関し、例えばディジタルカメラで撮影した画像を任意の携帯端末装置の表示部から表示し、これをユーザが目視し得る情報管理携帯端末装置、ネットワークシステムに適用して好適なものである。
【０００３】
【従来の技術】
従来、ディジタルカメラは、撮影された被写体の画像を変換することによって、所定の画像データを生成し、この画像データを例えばＪＰＥＧ（Ｊｏｉｎｔ  Ｐｈｏｔｏｇｒａｐｈｉｃ  Ｅｘｐｅｒｔｓ  Ｇｒｏｕｐ）規格に基づく符号化方式によって圧縮符号化し、これを記憶部に格納する。そしてディジタルカメラは、記憶部に格納された圧縮符号化データを例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インターフェイスを介してパーソナルコンピュータやプリンタ等の端末機器に出力する。
【０００４】
端末機器は、ディジタルカメラから供給された圧縮符号化データを元の画像データに復元し、当該復元した画像データに基づいてパーソナルコンピュータの表示部に画像を表示したり、もしくはプリンタから画像を印刷して出力することにより、ユーザに対してディジタルカメラで撮影した被写体の画像を提供するようになされている。
【０００５】
【発明が解決しようとする課題】
かかる構成のディジタルカメラにおいては、記憶装置の容量範囲内で画像データ（画像枚数）を格納する。この画像データは、データ容量が大きいことにより、記憶装置の容量を直ぐに満たしてしまう。これによりディジタルカメラの記憶装置は、ユーザの所望するだけの画像枚数を記憶装置に格納し得ない問題があった。
【０００６】
本発明は以上の点を考慮してなされたもので、ディジタルカメラの記憶装置に一時格納した画像データを公衆無線通信回線を介して所定のネットワーク通信回線網を利用することにより、これに設置されたサーバに格納する。かくして、より多くの画像データを格納し得る情報管理携帯端末装置、ネットワークシステム及び方法を提案しようとするものである。
【０００７】
【課題を解決するための手段】
かかる課題を解決するため本発明は、表示装置と、携帯端末装置とを含む通信システムであって、表示装置は、サーバに対して基地局を経ずに通信可能な通信部を含む構成とし、携帯端末装置は、サーバへの蓄積対象となるデータを取得する取得部と、基地局と無線通信可能な無線通信部を用いてサーバにアクセスし、該サーバに対して、取得部が取得したデータを蓄積させる蓄積制御部と、通信相手と直に無線通信可能な無線通信部を用いて表示装置にコマンドを送信し、該表示装置に対して、蓄積制御部がサーバに蓄積させたデータを表示させる表示制御部とを含む構成とする。
【０００８】
【発明の実施の形態】
以下図面について、本発明の一実施の形態を詳述する。
【０００９】
図１において、１０は全体としてネットワークシステムを示し、ディジタルカメラ１は、例えばＰＨＳ（Ｐｅｒｓｏｎａｌ  Ｈａｎｄｙｈｏｎ  Ｓｙｓｔｅｍ）等の公衆無線回線を利用して画像情報データ信号ｒｆを送信することによって、当該基地局２及びネットワーク３を順次介してデータサーバ４（以下これをサーバ４と呼ぶ）に画像情報データを送信すると共に、種々のコマンドからなるアクセスＳを送信することによって、ネットワーク端末装置５及びネットワーク３を順次介してサーバ４にアクセスし得るようになされている。ディジタルカメラ１を操作するユーザは、当該ディジタルカメラ１からネットワーク３を介して画像情報データをサーバ４に格納することができる共に、サーバ４に格納した画像情報データを必要に応じて当該サーバ４からネットワーク３を介してネットワーク通信端末装置５に表示することができる。
【００１０】
ディジタルカメラ１は図２に示すように、中央処理ユニット（以下これをＣＰＵ：Ｃｅｎｔｒａｌ  Ｐｒｏｃｅｓｓｉｎｇ  Ｕｎｉｔと呼ぶ）１１、ＲＡＭ（Ｒａｎｄａｍ  Ａｃｃｅｓｓ  Ｍｅｍｏｒｙ）１２、ＲＯＭ（Ｒｅａｄ  Ｏｎｌｙ  Ｍｅｍｏｒｙ）１３、ＥＥＰＲＯＭ（Ｅｌｅｃｔｒｉｃａｌｌｙ  Ｅｒａｓａｂｌｅ  ＲｅａｄＯｎｌｙ  Ｍｅｍｏｒｙ）１４、遠距離無線通信部１５、近距離無線通信部１６、画像入力部１７、操作入力部１８、音声入力部１９がバスＢＵＳに接続された構成を有する。
【００１１】
ＣＰＵ１１はＲＯＭ１３に格納されている処理プログラムに従ってデータ処理動作を実行することにより、各回路部を制御する。ＣＰＵ１１は必要に応じて処理内容をサーバ４に送信する。
【００１２】
ＥＥＰＲＯＭ１４は、第１の領域に、ディジタルカメラ１を基地局２に接続するための公衆無線回線接続情報と、ＲＡＭ１２に格納されるデータが満杯になったとき、基地局２に接続するための電話番号の情報とを当該ディジタルカメラ１を所有するユーザ固有の各種情報として記憶する。
【００１３】
また、ＥＥＰＲＯＭ１４は、第２の領域に、ＲＡＭ１２に格納されるデータが満杯になったとき、基地局２からネットワーク３に接続するための伝送制御プロトコルであるＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やマルチプロトコル環境においてシリアル回線上で、インターネットワーク機器の相互接続性を実現するプロトコルであるＰＰＰ（Ｐｏｉｎｔ  ｔｏ  Ｐｏｉｎｔ  Ｐｒｏｔｏｃｏｌ）等、ディジタルカメラ１をネットワーク３に接続するためのネットワーク接続情報として記憶する。
【００１４】
ネットワーク接続情報には、特定のサーバ４に送信し得る情報も含まれていることにより、ディジタルカメラ１はネットワーク上に存在する多数のサーバから目的とするサーバ４に送信し得る。
【００１５】
さらに、ＥＥＰＲＯＭ１４は、第３の領域に、ＲＡＭ１２に格納されるデータが満杯になったとき、基地局２及びネットワーク３を順次介してサーバ４と認証を行うためのディジタルカメラ固有の認証ＩＤ情報を、ディジタルカメラ１がサーバ４で認証を受けるための認証ＩＤ（ＩＤｅｎｔｉｆｉｅｒ）として、記録する。
【００１６】
この認証情報は、例えばユーザがディジタルカメラ１を購入したとき、サーバ４に対して登録装置を介して登録され、これにより、サーバ４及びディジタルカメラ１には同じ組み合わせのＩＤ情報が登録されることになる。
【００１７】
ユーザは被写体を撮影する際に、ディジタルカメラ１の筐体の上面に設けられるシャッタボタン６（図１）を押下することにより、当該ディジタルカメラ１に対して撮影コマンドを生成させる。このときＣＰＵ１１は、光学レンズ７（図１）を介して画像入力部１７に設けられた撮像素子（ＣＣＤ：Ｃｈａｒｇｅ  Ｃｏｕｐｌｅｄ  Ｄｅｖｉｃｅ）１７Ａに結像された被写体像に対応する画像信号Ｓ１を、Ａ／Ｄ変換部１７Ｂにおいて画像データＤ１に変換させて、これをインターフェイス１７Ｃを介してＲＡＭ１２に転送させる。
【００１８】
このときＣＰＵ１１は、ＲＯＭ１３に内蔵されるタイマを用いて撮影した日付及び時刻を生成すると共に、画像データの撮影番号からなる付加情報Ｄａｄ１を生成し、これを画像データＤ１に付加する。これにより、ユーザがサーバ４より画像をネットワーク端末機器５の表示部に表示する（後述）際に、このユーザによる当該画像データの忘れを防止している。
【００１９】
ＲＡＭ１２は、付加情報を加えた画像データＤ１を格納する。ＲＡＭ１２は、その後ユーザによって順次撮影されることにより得られる画像信号Ｓ２、画像信号Ｓ３、……画像信号Ｓｎに基づいて、画像入力部１７より得られる画像データＤ２、画像データＤ３……画像データＤｎを格納する。これに応じてＣＰＵ１１は、付加情報Ｄａｄ２、付加情報Ｄａｄ３……付加情報Ｄａｄｎを生成し、これらをそれぞれ対応する画像データ（Ｄ２〜Ｄｎ）に付け加える。
【００２０】
ＣＰＵ１１は、ＲＡＭ１２のデータ格納容量を記憶しており、このデータ格納容量とＲＡＭ１２の現在格納データを比較することにより、ＲＡＭ１２が満杯になっているか否かを判断する。ＣＰＵ１１は、ＲＡＭ１２が満杯になるまで引き続きＲＡＭ１２に新たな画像データを格納する。
【００２１】
これに対して、ＣＰＵ１１は、ＲＡＭ１２の容量が満杯になったと判断したとき、遠距離無線通信部１５が通信可能であることを条件として、アンテナ１５Ｃ及び基地局２（図１）を順次介してネットワーク３（図１）に接続要請することにより、送信モードに切り換わる。
【００２２】
送信モードにおいて、ＣＰＵ１１は、図３に示す認証処理手順により検索及び検証をすることにより、ディジタルカメラ１を所有するユーザがサーバ４を利用する利用権があるか否かを認証し、その後、画像データの送信をする。
【００２３】
ＣＰＵ１１は接続要請を出してネットワーク３に接続すると、ＥＥＰＲＯＭ１４から認証ＩＤを読み出し、これをインターフェイス１５Ｂを介して遠距離無線通信部１５に転送する。遠距離無線通信部１５はＥＥＰＲＯＭ１４から供給された認証ＩＤを携帯無線電話変復調部１５Ａで変調することにより、ＲＦ(Radio Frequency)信号でなる認証ＩＤ信号ｉｄｒｆを生成し、これをアンテナ１５Ｃを介して基地局２に送信することにより、図３に示すような認証処理手順を実行する。
【００２４】
すなわち図３において、基地局２は、ディジタルカメラ１より供給された認証ＩＤ信号を受信し、これを復調することによって認証ＩＤを抽出し、これをネットワーク３を介してサーバ４に送信する。
【００２５】
サーバ４は図４に示すように、データバスＢＵＳに接続されたＣＰＵ２１、メモリ２２、ＲＯＭ２３、通信インターフェイス２４及びデータベース２５を有し、ＣＰＵ２１はメモリ２２に格納されているプログラムに従ってデータの処理を実行する。
【００２６】
すなわち、サーバ４は基地局２から供給された認証ＩＤを通信インターフェイス２４より受信し、認証処理を実行する。認証処理において、サーバ４は受信した認証ＩＤをデータベース２５から同一の認証ＩＤが存在するか否かの検索をする。同一の認証ＩＤが存在した場合、サーバ４は次の処理として検証をする。
【００２７】
また同一の認証ＩＤが存在しない場合、このことは、ディジタルカメラ１が認証ＩＤをもっていないことを表している。このときユーザは接続した回線を切断し、サーバ４に対して登録装置を介してディジタルカメラ１とサーバ４との認証ＩＤの組み合わせ登録を行う。そしてユーザは再度ネットワーク３を介して接続することにより、サーバ４に対して検索の次の処理（検証）に移行させることができる。
【００２８】
検証おいて、サーバ４はデータベース２５に格納されている各々の認証ＩＤ（ディジタルカメラを所持するユーザ）を監視することによって、当該サーバ４の使用度に対する課金（サービス料）を把握している。またサーバ４はこのユーザが使用度に対する課金処理を完了したか否かにおいても把握している。これに基づいて、当該サーバ４に画像データを送信し得るか否かを検証する。検証結果において、課金に対するブラックリスト等がない場合、サーバ４は認証を許可する。そしてサーバ４は検証結果コマンドＤｃｏｍを生成し、これを通信インターフェイス２４及びネットワーク３を順次介して基地局２に送信する。
【００２９】
基地局２はサーバ４から供給された認証結果コマンドＤｃｏｍを受信し、これを変調することにより、ＲＦ信号からなる認証結果コマンド信号ｃｏｍｒｆを生成する。そして基地局２はこれをネットワーク３を介してディジタルカメラ１に送信する。
【００３０】
ディジタルカメラ１（図２）は基地局２より供給されたＲＦ信号ｃｏｍｒｆを受信し、これを復調することにより、認証結果コマンドＤｃｏｍを抽出する。これに基づいて、ＣＰＵ１１はＲＡＭ１２に格納されている画像データを読み出し、これを送信する。
【００３１】
画像データの送信手段において、ディジタルカメラ１（図２）の広域無線通信部１５はＲＡＭ１２から供給された画像データＤ１〜Ｄｎを変調することにより、ＲＦ（Ｒａｄｉｏ  Ｆｒｅｑｕｅｎｃｙ）信号ｄｉｒｆを生成し、これをアンテナ１５Ｃを介して基地局２に送信する。
【００３２】
基地局２はディジタルカメラ１から供給されたＲＦ信号ｄｉｒｆを受信し、これを復調することにより、画像データＤ１〜Ｄｎを抽出し、これらをサーバ４に送信する。
【００３３】
サーバ４（図５）は、基地局２から供給された画像データＤ１〜Ｄｎを受信する。そしてサーバ４は、当該認証許可したＩＤのディレクトリの中に画像データＤ１〜Ｄｎを包括することによって、データベース２５に格納する。因みに、以後このＩＤをもつディジタルカメラ１を使用してサーバ４に画像データ等の情報を格納する場合、サーバ４は認証処理手順を再度実行し、認証許可後に当該認証ＩＤのディレクトリで包括してある中に格納する。
【００３４】
ディジタルカメラ１は、画像データをサーバ４に送信した際、ＣＰＵ１１は新たにユーザによって撮影されることにより、得られる画像データをＲＡＭ１２に転送し、更新する。このとき撮影番号において、ＣＰＵ１１は更新前に与えられていた最後の撮影番号の次の番号から割り当てる。
【００３５】
かかる構成のディジタルカメラ１はＣＰＵ１１によってＲＡＭ１２の容量が満杯になったことを判断すると、基地局２及びネットワーク３を順次介してサーバ４にアクセスすることにより、画像データを送ることができる。かくして、ディジタルカメラ１のＲＡＭ１２の容量が常に満杯にならないことにより、ユーザの所望する画像をいつでも撮影することができる。
【００３６】
因みに図５は、ネットワークシステム上での送信モードにおける画像データＤ１〜Ｄｎのデータ流れを示しており、ディジタルカメラ１は、付加情報が付加された画像データＤ１〜Ｄｎを基地局２及びネットワーク３を介してサーバ４に送信する。
【００３７】
一方、ユーザが例えば手元に設置されているネットワーク端末機器５でサーバ４に格納した画像データＤ１〜Ｄｎの目視を希望する場合、ユーザは当該ディジタルカメラ１（図２）の入力部１８に設けられる所定のキー操作をすることにより、当該ディジタルカメラ１に対してネットワーク接続要請コマンドを生成させる。ＣＰＵ１１は、これをインターフェイス１６Ｂを介して近距離無線通信部１６に転送する。近距離無線通信部１６はＲＡＭ１２から転送された接続要請コマンドを赤外線通信変復調部１６Ａで変調することにより、赤外線コマンド信号を生成し、これを赤外線送受信部１６Ｃを介してネットワーク端末機器５に送信する。
【００３８】
ネットワーク端末機器５は図６に示すように、ＣＰＵ３１、ＲＡＭ３２、ＲＯＭ３３、Ｆｌａｓｈ  ＲＯＭ３４、表示部３５、ネットワーク通信部３６、赤外線通信部３７がバスＢＵＳに接続された構成を有する。
【００３９】
ＣＰＵ３１はＲＯＭ３３に格納されている処理プログラムに従ってデータの処理を実行することにより各回路部を制御する。ＣＰＵ３１は、必要に応じて処理内容をサーバ４又はディジタルカメラ１に送信する。
【００４０】
また、Ｆｌａｓｈ  ＲＯＭ３４の領域にはディジタルカメラ１をネットワーク３に接続するためのネットワーク接続情報を記憶する領域があり、ディジタルカメラ１から赤外線信号による接続要請があったときネットワーク３に接続するためのＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やＰＰＰ（Ｐｏｉｎｔ  ｔｏ  Ｐｏｉｎｔ  Ｐｒｏｔｏｃｏｌ）等が予め登録されている。
【００４１】
ここでネットワーク接続情報には、ある特定のサーバ４に送信し得る情報も含まれていることにより、ディジタルカメラ１はネットワーク上に存在する多数のサーバから目的とするサーバ４に送信し得る。
【００４２】
ネットワーク端末機器５はディジタルカメラ１から供給された赤外線コマンド信号を赤外線通信部３７の赤外線受信部３７Ｃで受信し、これを復調部３７Ｄで復調することにより、接続要求コマンドを抽出する。ＣＰＵ３１はこの接続要求コマンドに基づいてモデム３６Ａを介してネットワーク３に接続する。これにより、ＣＰＵ１１は、参照モードに切り換わる。
【００４３】
参照モードにおいて、ＣＰＵ１１は図７に示す認証処理手順を実行することにより、ディジタルカメラ１を所有するユーザがサーバ４を利用する利用権があるか否かを認証し、その後、画像の提供手順を実行するようになされている。
【００４４】
すなわち図７において、ディジタルカメラ１のＣＰＵ１１はＥＥＰＲＯＭ１４から認証ＩＤを読み出し、これをインターフェイス１６Ｂを介して近距離無線通信部１６に転送する。近距離無線通信部１６はＥＥＰＲＯＭ１４から転送された認証ＩＤを変調することによって、赤外線信号からなる認証ＩＤ信号Ｓｉｄを生成し、これを赤外線送受信部１６Ｃを介してネットワーク端末機器５に送信する。
【００４５】
ネットワーク端末機器５（図６）は近距離無線通信部１６から供給された認証ＩＤ信号Ｓｉｄを赤外線通信部３７の赤外線受信部３７Ｃで受信し、これを復調部３７Ｄで復調することにより、認証ＩＤを抽出し、この認証ＩＤをインターフェイス３７Ｅを介してネットワーク通信部３６に転送する。ネットワーク通信部３６はモデム制御部３６Ｂによって認証ＩＤをモデム３６Ａ及びネットワーク３を順次介してサーバ４に送信する。
【００４６】
サーバ４（図５）はネットワーク通信部３６から供給された認証ＩＤを通信インターフェイス２４を介して受信し、上述の送信モード時と同様の認証処理を実行する。
【００４７】
ここでサーバ４のＣＰＵ２１は認証許可と判断すると、画像の提供処理を実行する。ＣＰＵ２１はデータベース２５中から当該認証許可したＩＤのディレクトリの中に包括し、格納されている画像データＤ１〜Ｄｎに付加される付加情報Ｄａｄ１〜Ｄａｄｎを読み出し、これを予めサーバ４に格納される所定のアプリケーションソフトウェアに従って所定の変換処理を施すことにより、画像リストデータＤｒｉｓを作成する。そしてサーバ４はこの画像リストデータＤｒｉｓをネットワーク３を介してネットワーク端末機器５に送信する。
【００４８】
ネットワーク端末機器５（図６）はサーバ４から供給された画像リストデータＤｒｉｓをネットワーク受信部３６のモデム３６Ａで受信し、これをインターフェイス３６Ｃを介して表示部３５に転送する。表示部３５は表示処理部３５Ｂでモデム３６Ａから供給された画像リストデータＤｒｉｓをに基づいて予めＲＯＭ３３に格納される所定のアプリケーションソフトウェアに従って所定の描画処理を施すことにより、これを例えば陰極線管（ＣＲＴ：Ｃａｔｈｏｄｅ  Ｒａｙ  Ｔｕｂｅ）等のディスプレイ３５Ａに対して図８に示すような画像リスト４０を表示するようになされている。
【００４９】
すなわち画像リスト４０は図８において、ディスプレイ３５Ａに所定の幅に区切られた画像タイトルリスト４１が上から順次下方向に表示されると共に、画像タイトルリスト４１の最上部に反転するカーソル４２を付して表示される。画像タイトルリスト４１は撮影した日付及び時刻、撮影番号が表示される。
【００５０】
ここで図７及び図９に示すように、例えばユーザが３番目の画像の目視を希望する場合、ディジタルカメラ１（図２）は入力部１８に設けられる下方向キー１８Ｂを２回押下されることにより、下方向コマンドＤｗｃｏｍを２コマンド生成する。そしてディジタルカメラ１はこれらを近距離無線通信部１６で変調することによって、赤外線信号からなる下方向コマンド信号Ｓｄｗｃｏｍを生成し、これをネットワーク端末機器５に送信する。
【００５１】
ネットワーク端末機器（図６）  は、ディジタルカメラ１から供給された下方向コマンド信号Ｓｄｗｃｏｍを受信し、これを復調することによって、２コマンド分の下方向コマンドＤｗｃｏｍを抽出する。ＣＰＵ３１はこれらの命令に応じてカーソル４２を下方向に２段分移動させる。このようにユーザは所望する回数分の上または下の方向キー１８Ａ・１８Ｂを押下することにより、その押下操作に応じてカーソル部４２を移動させることが出来る。
【００５２】
またここでディジタルカメラ（図２）１は、入力部１８に設けられる決定キー１８Ｃ（図９）を押下されることにより、決定コマンドＤｅｃｏｍを生成し、これを近距離無線通信部１６で変調することによって、赤外線信号からなる決定コマンド信号Ｓｄｅｃｏｍを生成する。そしてディジタルカメラ１はこの決定コマンド信号Ｓｄｅｃｏｍをネットワーク端末機器５に送信する。
【００５３】
ネットワーク端末機器５（図６）は、ディジタルカメラ１から供給された決定コマンド信号Ｓｄｅｃｏｍを受信し、復調することによって、決定コマンドＤｅｃｏｍを抽出する。ここでネットワーク端末機器５のＣＰＵ３１はカーソル部４２が選択されている撮影番号「３」をサーバ４に送信する。
【００５４】
サーバ４（図５）はネットワーク端末機器５から供給された番号に基づいて認証許可したＩＤのディレクトリで包括し、そこに格納されている画像データ（Ｄ１〜Ｄｎ）の中から番号「３」に該当する画像データを読み出し、これをネットワーク端末機器５に送信する。
【００５５】
ネットワーク端末機器５は、サーバ４から供給された画像データを受信し、これを表示部３５に転送する。表示部３５はこの画像データを表示処理部３５Ｂでネットワーク端末機器５のＲＯＭ１３に格納されているアプリケーションソフトウェアに応じた描画処理を施すことにより、ディスプレイ３５Ａに対して画像を表示する。これにより、ユーザは所望する画像を目視することができる。
【００５６】
因みに図１０は、ネットワークシステム上での参照モードにおける画像リストデータＤｒｉｓ及び画像データＤ１〜Ｄｎのデータの流れを示しており、ディジタルカメラ１は、種々のアクセス信号を送信してネットワーク端末装置５を制御することにより、画像リストデータＤｒｉｓをサーバ４から読み出し、これをネットワーク端末装置５に送信する。そしてネットワーク端末装置５は画像リストデータＤｒｉｓに所定の処理を施した後、表示部３５のディスプレイ３５Ａに表示する。さらにネットワーク端末装置５は、ユーザが選択し、決定した画像番号をサーバ４に送信する。そしてサーバ４は当該３番目の画像をネットワーク端末装置５に送信する。
【００５７】
以上の構成において、画像データを格納するサーバ４はディジタルカメラ１の固有のＩＤを登録処理手段を実行することにより、サーバ４と認証を行うためのディジタルカメラ固有のＩＤを予め登録する。またサーバ４に対して登録装置を介してディジタルカメラ１とサーバ４とのＩＤの組み合わせ登録を行う。
【００５８】
ここでディジタルカメラ１のＣＰＵ１１が比較手順を実行することにより、ＲＡＭ１３の容量が満杯と判断した際、ディジタルカメラ１は基地局２を介してサーバ４に接続することにより、送信モードに替わる。
【００５９】
送信モードにおいて、ディジタルカメラ１より供給された認証ＩＤに対して認証処理手順を実行する。認証許可を受けた際、ディジタルカメラ１は、画像データを送信する。サーバ４はディジタルカメラ１より供給された付加情報を付け加えた画像データを認証ＩＤのディレクトリで包括して格納する。このことにより、第三者による画像データの秘匿を実現する。
【００６０】
一方、ディジタルカメラ１のＣＰＵ１１がネットワーク端末機器５に対してネットワーク接続要求命令を生成し、これによりネットワーク端末機器５がネットワーク３に接続した際、ディジタルカメラ１は、参照モードに切り換わる。その後ネットワーク端末機器５を介してサーバ４と認証処理を行う。
【００６１】
サーバ４のデータベース２５にディジタルカメラ１の認証ＩＤが登録されている場合、ＣＰＵ１１は送信モード時に当該認証許可されたＩＤのディレクトリで包括し、格納された画像データ中より付加情報を読み出し、この付加情報を基に画像リストデータＤｒｉｓを作成し、これをネットワーク端末機器５に送信する。ネットワーク端末機器５はサーバ４より供給された画像リストデータＤｒｉｓを描画処理を施すことにより、画像リスト４０をディスプレイ３５Ａに表示する。ＣＰＵ１１はユーザによる上下のキー操作に応じてカーソル４２を移動させることにより、ユーザは表示を希望する画像を当該画像リストの中から選択する。さらにディジタルカメラ１はユーザによる決定キーの押下により、当該ユーザの希望する画像をネットワーク端末機器５のディスプレイ３５Ａに表示させることができる。
【００６２】
以上の構成によれば、ディジタルカメラ１のＣＰＵ１１がＲＡＭ１２の容量が満杯と判断した際、ＣＰＵ１１は公衆無線通信が可能な状態に基づいて自動的に当該公衆無線通信回線を利用してネットワーク３に接続することにより、サーバ４に対してより多くの容量の画像データを送信する。このことにより、ＲＡＭ１２の容量は常に空き状態となる。かくして、ユーザはどこに存在しても希望するだけの被写体を撮影することが出来る。
【００６３】
さらにディジタルカメラ１に固有のＩＤを持たせ、サーバ４で認証処理手段を設けたことにより、ユーザの撮影した画像に対する秘匿を確保し得る。
【００６４】
またディジタルカメラ１のＣＰＵ１１はネットワーク端末機器５を制御し得る赤外線送信を行うことにより、当該ネットワーク端末機器５を介してサーバ４に格納した画像データを基に作成された画像リスト４０を表示部３５に表示する。これを基にユーザが希望する画像リスト４０に対して所定のキー操作を行った際、表示部３５は、サーバ４から取得した画像データよりユーザの希望する画像を表示する。かくして、ユーザはネットワーク接続手段及び赤外線受信手段を持つネットワーク端末機器５が手元にある場所からであれば、サーバ４に格納した画像を目視することが出来る。
【００６５】
なお上述の実施の形態においては、画像リストに表示する情報として撮影した日付及び時刻と、撮影番号とを用いる場合について述べたが、本発明はこれに限らず、画像リストにサムネールや画像情報（画像サイズ、解像度等）を表示するようにしてもよい。このようにすれば、ユーザが何を撮影したか忘れた場合においても、画像リストを目視することにより、当該ユーザが何を撮影したかをより一層把握することが出来る。
【００６６】
要はユーザの記憶を呼び起こすことの出来る手段であれば良い。
【００６７】
また上述の実施の形態においては、画像データと付加情報とをサーバ４に格納する場合について述べたが、本発明はこれに限らず、図２に示すように音声入力部１９のマイクロホン１９Ａから音声を入力することによって、当該マイクロホン１９Ａから音声信号Ｓｏを出力し、これをＡ／Ｄ変換部１９Ｂで音声データに変換する。そしてこの音声データを上述した操作によりサーバ４に格納し、これをネットワーク端末機器５から読み出すようにしても良い。
【００６８】
この場合、音声データは画像データと同様にデータ容量が大きいであることにより、当該音声データをサーバ４に格納しても上述の場合と同様の効果を得ることが出来る。
【００６９】
さらにまた上述の実施の形態においては、ディジタルカメラ１で撮影した画像から得られる画像データをサーバに格納し、これをネットワーク端末機器５から読み出しする場合について述べたが、本発明はこれに限らず、ＧＰＳ（Ｇｌｏｂａｌ  Ｐｏｓｉｔｉｏｎｉｎｇ  Ｓｙｓｔｅｍ）を用いて上述した操作により、ユーザの動作をサーバ４に格納し、これをネットワーク端末機器５から読み出すことによって、当該ユーザによる動作の軌跡を表示部３５に表示する。あるいは、温度センサを入院患者の腋窩等に挟み、上述した操作により、入院患者の体温をサーバ４に格納し、これをネットワーク端末機器５から読み出すことによって、当該入院患者の様態を離れていても絶えず確認できる等、公衆無線回線通信機能及び赤外線通信機能を有する他の種々の端末装置によって構成されるネットワークシステムに本発明を広く適用することが出来る。
【００７０】
さらにまた上述の実施の形態においては、ディジタルカメラ１のＣＰＵ１１が比較処理手段を実行し、ＲＡＭ１３の容量が満量と判断した際にネットワーク３に接続する場合について述べたが、本発明はこれに限らず、ユーザが必要とする際にディジタルカメラ１の入力部１８に設けられた所定のキー操作を行うことにより、ネットワーク３に接続するようにしても良い。
【００７１】
この場合、ＣＰＵ１１は比較処理手段を実行し、ＲＡＭ１３の容量が満量と判断した際に例えばディジタルカメラ１のシャッタボタン６を押下出来ない状態にする等の処理をすることにより、ユーザに対してＲＡＭ１３の容量が満量になったことを知らせることが出来る。
【００７２】
さらにまた上述の実施の形態においては、ディジタルカメラ１のＥＥＰＲＯＭ１４にサーバ４に対するＩＤを登録する登録手段を利用する場合について述べたが、本発明はこれに限らず、ディジタルカメラ１のＥＥＰＲＯＭ１４にサーバ４に対するＩＤと、ネットワーク端末機器５に対するＩＤとを予め登録するようにしても良い。
【００７３】
この場合図１１に示すように、ディジタルカメラ１が基地局２を介してネットワーク３に接続された状態において、ディジタルカメラ１は第一のネットワーク端末機器５に対するＩＤを送信し、認証許可の返信を受けることにより、ネットワーク３への接続が開始される。このことにより、第三者による画像データの秘匿をさらに実現することが出来る。
【００７４】
【発明の効果】
上述のように本発明によれば、基地局と無線通信可能な無線通信部を用いてサーバにアクセスし、該サーバに対して、蓄積対象のデータを蓄積させ、通信相手と直に無線通信可能な無線通信部を用いて、サーバに対して基地局を経ずに通信可能な表示装置にコマンドを送信し、該表示装置に対して、サーバに蓄積させたデータを表示させるようにしたことにより、より多くのデータをサーバに格納しておくことができるとともにこれらを表示装置に提供できる。
【図面の簡単な説明】
【図１】本発明の一実施の形態による本発明によるネットワークシステム全体の構成を示すブロック図である。
【図２】ディジタルカメラの構成を示すブロック図である。
【図３】撮影モードにおける認証処理手順を示すシーケンスチャートである。
【図４】サーバの構成を示すブロック図である。
【図５】送信モードにおけるデータ流れを示すブロック図である。
【図６】ネットワーク端末機器の構成を示すブロック図である。
【図７】参照モードにおける認証処理手順を示すシーケンスチャートである。
【図８】画像リストの構成を示すブロック図である。
【図９】画像リストの使用方法の説明に供するブロック図である。
【図１０】参照モードにおけるデータの流れを示すブロック図である。
【図１１】参照モードにおける認証処理手順（２）を示すシーケンスチャートである。
【符号の説明】
１……ディジタルカメラ、２……基地局、３……ネットワーク、４……サーバ、５……ネットワーク端末機器、１０……ネットワークシステム、１１、２１、３１……ＣＰＵ、１２、３２……ＲＡＭ、２２……メモリ、１４……ＥＥＰＲＯＭ、２５……データベース。
【図１】
0004103062.tif 000002
【図２】
0004103062.tif 000003
【図３】
0004103062.tif 000004
【図４】
0004103062.tif 000005
【図５】
0004103062.tif 000006
【図６】
0004103062.tif 000007
【図７】
0004103062.tif 000008
【図８】
0004103062.tif 000009
【図９】
0004103062.tif 000010
【図１０】
0004103062.tif 000011
【図１１】
0004103062.tif 000012